(57)【特許請求の範囲】
【請求項１】
患者の身体の人工空洞を通る少なくとも一つのドレーン（２）の保持装置であって、
分泌物を集めるための少なくとも一つの収集室（１０；３０；７０）を含み、
前記収集室は、前記収集室を塞ぐための上壁、患者の身体に固定して前記収集室を囲むように構成されたベース（１１、３１、７１）、及び前記ベースと前記上壁を繋ぐ側壁から構成され、
前記上壁は、ドレーンを通すために前記収集室にある少なくとも一つの孔（１２；３２；７３；７４）を含み、前記孔を前記ベース面に対して垂直にしないことにより、患者の身体及び前記上壁に対して前記ドレーンを傾斜可能にし、
前記側壁と前記上壁と前記ベースとは、患者の身体の人工空洞に前記ドレーンが挿入されているとき、前記ベースが患者の身体で支持されるまで前記ドレーンの一部に沿って患者の身体に向かって一体となってスライド可能であり、
前記側壁と前記上壁と前記ベースとはさらに、前記ドレーン用の前記孔を延長する支持体（１６；３６；７６）を含み、
前記支持体は、前記収集室の前記上壁に設けられ、且つ、前記ドレーン用のくり抜きを含み、
前記支持体はさらに、前記ドレーンを前記装置に対して所定の位置に固定する手段を含み、且つ、リム（１８ａ）及び前記ドレーンの溝（２４；８４）に挿入するための前記支持体の前記孔のある壁に設けられた少なくも一つの突起（３８；７８）のうちのいずれか一つを備えることを特徴とする装置。
【請求項２】
前記支持体の前記くり抜き（１７、３７、６８）は、その軸が、前記孔（１２；３２）の軸にほぼ対応するように配向されていることを特徴とする請求項１に記載の装置。
【請求項３】
前記支持体の前記くり抜き（７５；７７）は、その軸が、前記孔（７３；７４）の軸に対して傾斜するように配向されていることを特徴とする請求項１に記載の装置。
【請求項４】
前記支持体（３６、７６）は、連結された２個の部分から構成されることを特徴とする請求項１〜３のいずれか一項に記載の装置。
【請求項５】
前記固定手段は、前記支持体（１６）の延長線上にあるスカート（１８）から構成され、前記スカートは、前記支持体の前記くり抜き（１７）の軸に向かって収束し、好適には前記スカートの末端にある前記リム（１８ａ）によって、前記ドレーン（２）に設けられた横溝（２４）で係止されるように構成されることを特徴とする請求項１〜４のいずれか一項に記載の装置。
【請求項６】
前記固定手段は、前記支持体（３６、７６）の前記くり抜き（３７；７５；７７）の壁に設けられた前記突起（３８；７８）からなり、前記突起が、前記ドレーンに設けられた長手方向または横方向の溝（８４）で係止されるように構成されることを特徴とする請求項１〜４のいずれか一項に記載の装置。
【請求項７】
前記ベース（１１）は、前記収集室（１０）と反対側の患者の身体と接する面（１１ａ）に接着層（１３）を含むことを特徴とする請求項１〜６のいずれか一項に記載の装置。
【請求項８】
前記接着層（１３）は、前記ベース（１１）の外周（１４）を超えて外側に延長されることを特徴とする請求項７に記載の装置。
【請求項９】
前記接着層（１３）は、前記収集室（１０）を部分的に閉じて前記ドレーンが通るための空間を構成するために前記ベースの内部（１５）を越えて延長されることを特徴とする請求項７または８に記載の装置。
【請求項１０】
前記接着層は、分泌物を吸収可能な接着ゴムからなることを特徴とする請求項７〜９のいずれか一項に記載の装置。
【請求項１１】
前記収集室（３０）の前記上壁（３３）は、スカート（３５）によって延長される分泌物収集ポケットを固定するための孔（３４）を同様に含むことを特徴とする請求項１〜１０のいずれか一項に記載の装置。
【請求項１２】
前記収集室は、主にサンプル採取用の少なくとも一つの窓を含むことを特徴とする請求項１〜１１のいずれか一項に記載の装置。
【請求項１３】
前記収集室の前記分泌物収集ポケットを固定するための前記孔（３４）は、前記ドレーンを通すための前記孔（１２）よりも低い位置に配置され、分泌物が重力により前記収集室の下部に集められ、前記分泌物収集ポケットへのドレナージュを容易にすることを特徴とする請求項１２に記載の装置。
【請求項１４】
前記側壁と前記上壁と前記ベースとから構成されるアセンブリは、一体となっていることを特徴とする請求項１〜１３のいずれか一項に記載の装置。
【請求項１５】
前記上壁は前記ベース面に対して傾斜していることを特徴とする請求項１〜１４のいずれか一項に記載の装置。
【発明の詳細な説明】
【０００１】
本発明は、患者の身体の人工空洞を通る少なくとも一つのドレーンまたは同等物の保持装置に関する。
【０００２】
外科および蘇生術では、胸部または腹部のドレナージュを実施することがしばしば必要になる。ドレナージュは、胸部または腹部の内部と吸入システムとを連通させて、一般に、胸膜腔または腹腔の浸出液を排出し、あるいはまた手術部位、すなわち胃、腸、輪胆管、食道といった中空の臓器を、ドレナージュすることからなる。
【０００３】
ドレーンの固定は、従来では皮膚への縫合によって行われ、ドレーンの周りに絆創膏が貼られる。
これは、多数の問題を提起する。
縫合による固定は、ドレーンに引っ張り力が及ぼされるので患者が痛みを感じ、また感染のもとになる。
ドレーンは、吸入システムへの接続のために、患者の身体に設けられた孔の近傍で折れ曲がる傾向がある。これもまた、患者にとって痛みの原因になる。しかも、絆創膏があるため、ドレーンに近づいて、その位置をチェックし、あるいは、場合によって分泌物があるかどうかチェックすることが難しくなる。
【０００４】
さらに、ドレーンは、処置後、数日してから、２〜３段階で徐々に患者の身体から抜かなければならない。
毎回、糸を切り、場合によっては、ドレーンを新たな縫合により皮膚に固定することが必要である。同様に、全ての絆創膏を貼り直し、特に、新しい分泌物収集ポケットを設置しなければならない。
これらの操作は、患者にとっては苦痛となり、皮膚の孔の位置で感染のおそれを発生し、手当をする人にとっては作業数が多くなる。こうした操作は、労働力の面でも、使用される製品の面でもコスト高である。
【０００５】
このため、ドレーンを保持するための様々なシステムが開発されてきた。
特に、フランス特許ＦＲ２７０７１７５号を引用することができる。この特許は、ほぼ半円筒形の２個の分離要素から構成され、接着ゾーンによって患者の身体に固定される装置を記載している。さらに、絆創膏は、装置と接着ゾーンとの間に配置される吸収材料からなる部品に代えられている。ドレーンは、患者の身体の近傍で、身体にほぼ垂直に延びる。
この装置は、患者の身体でドレーンを有効に保持することができ、皮膚への縫合が不要である。
【０００６】
しかしながら、このような装置は、患者の身体側に傾斜する特定の配向をドレーンに与えることができない。また、患者の身体にある孔の位置に場合によっては出てくる分泌物を採取することもできない。
ＰＣＴ特許ＷＯ９７／４５１４８号に記載された剛性の接続装置の場合も同様である。
【０００７】
本発明は、ゾンデ、カッタ、または微小管状のドレーン等の、少なくとも一つのドレーンまたは同等物を保持し、応力を発生せずに、従って患者に対して苦痛を生じることなく、またドレーンが移動するおそれなく、患者の身体の孔の出口でドレーンを湾曲かつ配向可能な装置を提案することによって、上記の欠点を解消することを目的とする。
【０００８】
このため、本発明は、患者の身体の人工空洞を通る少なくとも一つのドレーンまたは同等物の保持装置に関し、場合によっては出る分泌物を集めるための少なくとも一つの収集室と、前記身体に固定して各収集室を囲むように構成されたベースと、ドレーンまたは同等物を通すために収集室内にある少なくとも一つの孔とを含み、前記孔の軸をベースの面に対して垂直にしないことにより、ドレーンを湾曲可能にし、それによって患者の身体に対してドレーンを配向可能にすることを特徴とする。
【０００９】
好適には、ドレーン用の孔は、ドレーン用のくり抜きを含む支持体により延長される。
第１の実施の形態では、支持体のくり抜きは、その軸が、孔の軸にほぼ対応するように配向されている。
第２の実施の形態では、支持体のくり抜きは、その軸が、孔の軸に対して傾斜するように配向されている。
好適には、ドレーン用の支持体は、連結された２個の部分から構成される。
ドレーン用の支持体は、有利には、装置に対して所定の位置に固定するために、ドレーンと協働する手段を含む。
【００１０】
変形実施形態では、これらの固定手段は、支持体の延長線上にあるスカートから構成され、このスカートは、支持体のくり抜きの軸に向かって収束し、好適にはスカートの末端にある特にリムによって、前記ドレーンに設けられた横溝で係止されるように構成される。
【００１１】
別の変形実施形態では、これらの固定手段が、支持体のくり抜きの壁に設けられた少なくとも一つの突起からなり、この突起が、前記ドレーンに設けられた長手方向または横方向の溝で係止されるように構成される。
【００１２】
本発明による装置のベースは、有利には、患者の身体と接する面に接着層を含む。
実施の形態では、この接着層は、ベースの外側に延長される。
別の実施の形態では、この接着層は、収集室を部分的に閉じるためにベースの内部を越えて延長される。
好適には、接着層は、分泌物を吸収可能な接着ゴムからなる。
【００１３】
好適には、本発明による装置の収集室は、分泌物収集ポケットのための孔を同様に含む。
好適には、本発明による装置の収集室は、特にサンプル採取用の少なくとも一つの窓を含む。
【００１４】
さらに、本発明による装置は、好適には、重力によりドレナージュを促すように患者の身体に配向される。
装置が、分泌物収集ポケット用の一つの孔を含む場合、分泌物が、ポケット側に容易にドレナージュされる。
本発明ならびに他の目的、長所および特徴は、本発明の限定的ではない実施例に関する以下の説明を読めば、いっそう理解され、明らかになるであろう。
【００１５】
最初に、本発明による保持装置１を示す図１、図２を参照する。この装置１は、収集室１０と、収集室１０を囲むベース１１と、ドレーン２の通る孔１２とを含む。
ベース１１は、特に、収集室１０の反対側にある面１１ａでベースに固定された接着層１３によって、患者の身体に固定されるように構成される。
この接着層１３は、ベース１１の面１１ａの全部または一部に配置することができる。接着層はまた、図１、２に示したように、ベース１１の外周１４を越えて延び、またベースの内部１５を越えて延びて、収集室１０の一部を塞ぐことができる。
【００１６】
図２に正確に示されるように、この場合、接着層は、単にドレーン２のための通路を設けているにすぎない。
好適には、接着層１３は、分泌物を吸収可能な接着ゴム、たとえばペクチンまたはゼラチンタイプの天然ゴム、あるいは欧州特許ＥＰ９２９９９号に記載されたゴムから構成される。この特許の内容は、引例として本出願に含まれる。
実際には、接着層１３は、適切なフィルム（図示せず）により保護される。フィルムは、装置１のあらゆる使用の前にはがされる。
【００１７】
図１、２に示した実施の形態では、チャンバ１０が、膨らんだ形状、またはドーム形をしている。ドレーン２の孔１２は、収集室１０の壁に設けられるので、孔１２の軸１９は、ベース１１の面に対して垂直ではない。
そのため、孔１２は、実際には、収集室１０のドームの中央部分に設けられるのではなく、ずれた位置に設けられる。
【００１８】
本発明による保持装置１の使用法は、以下の通りである。
まず第一に、ドレーン２が、患者の身体に設けられた空洞２１を通って患者の身体に設置される。
図示された例では、ドレーン２が２個の管路２２を含む。
ドレーン２は、患者の身体に設置される内部に、分泌物を収集するための孔２３を含む。
ドレーン２は、患者の身体の外部に設置される上部に、連続する横溝２４を含む。その機能については後述する。
【００１９】
ドレーンが、患者の身体の所定の位置にあるとき、ベース１１が患者の身体２０で支持されるまで、ドレーン２の上部に沿って装置１をスライドさせる。
装置１は、その場合、接着層１３によって患者の身体に固定される。
好適には、装置は、図３の左側部分が患者の体の上部に対応し、右側部分が下部に対応するように固定される。
【００２０】
前述のように、孔１２の軸はベース１１の面に垂直ではない。このため、ドレーン２もまた、孔１２を通ると、ベース１１に垂直でははない。
好適には、ベース１１の面に対して孔１２の軸１９がなす９０゜未満の角度αが５〜８５゜であり、有利には４５〜６０゜である。
孔１２の軸のこうした特別な傾斜により、ドレーン２が傾斜して、特に、患者の身体２０側に折り曲げ可能になり、空洞２１のの位置で応力を発生しない。
従って、ドレーンに曲がりが伝えられても、患者にとっては痛みがなく、ドレーンの移動を全く引き起こさない。この曲がりは、収集室の存在によって可能になっている。
【００２１】
図１、２に示された保持装置は、同様に支持体１６を含み、この支持体は、収集室１０の外側に孔１２を延長している。
支持体は、ドレーンを通すことができるくり抜き１７を含む。
この実施の形態では、支持体１６は、くり抜き１７の軸が孔１２の軸にほぼ対応するように配置されている。
【００２２】
支持体１６は、その自由端にスカート１８を含み、スカートは、くり抜き１７の軸に向かってやや収束し、従って、装置１をドレーンに配置したときにドレーンに向かってやや収束する。
このスカートは、好適にはリム１８ａまで続き、リム１８ａは、ドレーンの横溝２４と協働するように構成されて、装置１に対してドレーン２を適切に固定するとともに、アセンブリを気密にする。
【００２３】
患者の身体からドレーン２を徐々に外す場合、スカート１８は、異なる溝で係止される。
ドレナージュの間、分泌物が孔２１の周囲に溜まることがある。これは、患者の身体の内部から出る液体、あるいはまた開口部２１の周囲に生じる出血である。
従って、これらの分泌物は収集室１０の内部に収集される。
さらに、分泌物は、感染の原因になることがあるので、このような分泌物の有無を監視して、分析用に採取することが有効である。
そのため、収集室１０の壁に窓（図示せず）を設けることが有利である。この窓は、特に透明な膜またはキャップによって閉鎖できる。
【００２４】
装置が、前述のように患者の身体に固定されているとき、分泌物は、収集室の下部（図３の右側）に溜まるので、好適には、この位置に窓を設ける。
図１、２に示した保持装置１は、胸部または腹部の外科手術で使用可能である。
ドレーンの断面は、必ずしも円ではなく、楕円形の断面にしてもよい。
【００２５】
本発明による保持装置の他の実施の形態について図３〜７を参照しながら説明する。図１、２に関して記載した例と共通の特徴および長所については、改めて説明しない。
【００２６】
ここで、本発明による保持装置の第２の実施の形態を示す図３を参照に説明する。
この装置３は、収集室３０と、収集室を囲むベース３１とを同様に含む。
収集室は、直円柱の上部を底面に平行でない平面で切り落とした立体（TRONC  DE  CYLINDRE）の形状をほぼ有する。
収集室は、その上面３３にドレーン８または同等物のための孔３２を含む。
孔３２は、ドレーン８のためのくり抜き３７を備える支持体３６をにより延長される。
【００２７】
支持体３６は、連結された２つの部分３６ａ、３６ｂからなる。支持体は、図３では、開放位置で示されている。
この図は、くり抜き３７の軸が、孔３２の軸と同様に、ベース３１に対して垂直ではないことを示している。これは、ベース３１の面に対して収集室３０の上面３３が傾斜しているためである。
支持体３６は、その内面上に、少なくとも一つの突起３８を含む。ドレーン８が孔３２とベース３７とを通ると、くり抜き３７の壁にある突起３８がドレーン８に設けられた長手方向の溝８４で係止される。
従って、突起３８は、装置３に対してドレーン８を所定の位置に適切に固定することができる。
【００２８】
連結部分は、係止手段により閉鎖位置に固定可能である。図３に示した例では、係止手段は、支持体の一部３６ａの側面自由縁に設けられた半円筒形の部分３９ａと、支持体の一部３６ｂの側面自由縁に設けられて半円筒形の部分３９ａを収容するように構成された溝３９ｂとから構成される。
連結部分はまた、リング９により閉鎖位置に固定される。リングは、その場合、支持体３６の底に設けられた溝９０で係止される。
【００２９】
しかし、突起３８は省いてもよい。この場合、支持体３６は、図１、２に示された支持体１６同様に、くり抜き３７の軸に向かってわずかに収束するスカートによって延長される。同様に、このスカートの環状の自由縁にリムを設けることができる。その場合、スカートは、ドレーンに設けられた横溝で係止されるように構成される。この実施の形態は、図３では示されていない。
図３に示した例では、別の孔３４が、収集室３０の上壁３３に設けられている。この孔は、分泌物の収集ポケット（図示せず）を固定するように構成されたスカート３５により延長されている。
【００３０】
本発明の装置は、好適には、孔３４が孔３２によりも低いところに配置されるように患者の身体に対して配向される。かくして、場合によっては出る分泌物が、重力により収集室３０の下部に溜まるので、分泌物収集ポケットにおけるドレナージュおよび排出が容易になる。
保持装置３は、特に腹部または胸部の外科手術で、５〜７ミリメートルの中間サイズのドレーンに対して使用可能である。
装置３はまた、分泌物収集ポケットの固定用の孔３４を備えなくともよい。
装置３は、図１、２に示した装置１と同様の長所を有する。
【００３１】
さらに、装置３に配置されるドレーンまたは同等物の厚さは、装置１で使用されたドレーンの厚さよりも薄くしてもよい。実際、ドレーン８の断面は、溝８４を設けるのに十分な厚さがあればよく、しかも、ドレーンの厚さは、もっと薄くしてもよい。そのため、ドレーン８は、図１、２に示されたドレーン２によりも硬くない。断面は円形にしても楕円形にしてもよい。
【００３２】
図４、５は、本発明による保持装置の第３の実施の形態を示す。
装置４は、装置３と同様に、直円柱の上部を底面に平行でない平面で切り落とした立体の形状をほぼ有する収集室４０を含み、ベース４１が収集室４０を囲んでいる。
従って、収集室４０は、ベース４１の面に対して傾斜した上面４３を含む。
この上面４３に、ドレーンまたは同等物のための孔４２と、分泌物収集ポケット用の孔４４とが設けられる。
【００３３】
装置３に対して先に説明したように、分泌物ポケットを固定するための孔４４と、スカート４５とは、省いてもよい。
ドレーンまたは同等物のための孔４２は、互いに連結された２個の要素４６ａ、４６ｂからなる支持体４６により延長されている。
箱形の支持体４６は、図４では開放位置にあり、図５では閉鎖位置にある。
支持体４６は、ドレーン５を通すためのくり抜き４７を含む。
【００３４】
図４、５に示されるように、くり抜き４７の軸は、孔４２の軸とは一致せず、反対に、孔４２に対して傾斜するように支持体４６は、孔４２に軸に対して配置されている。
装置４がドレーン５または同等物に配置されると、支持体４６は、まず最初に開放位置にある。ドレーン５が孔４２を通るが、ドレーン５は、孔４２の傾斜のために、ベースの面に直角ではない。
装置３を患者の身体に固定後、部分４６ａを部分４６ｂの上で揺動して支持体４６を閉じる。
【００３５】
支持体４６は、たとえば係止により閉鎖位置に保持される。支持体の上部４６ａは、その場合、長手方向の自由縁に半円筒形の部分４７ａを含み、支持体の下部４６ｂは、同じく長手方向の自由縁に、半円筒部分４７ａを収容するための溝４７ｂを含むことができる。
かくして、支持体４６は、ドレーンが孔４２にあるときに有する配向とは異なる配向をドレーン５に与えることができる。
従って、支持体４６は、実際には、患者の身体にほぼ平行な位置にドレーン５を配置することができる。
【００３６】
箱形の支持体４６にドレーンを保持する役割をする手段を、くり抜き４７の壁に設けることができる。
図４に示した例では、これらの手段は、２個の部分４８ａ、４８ｂから構成されて、くりぬき４７の壁に形成されるリングまたはリムからなる。
このリングは、アセンブリの気密性に寄与するためにドレーン５に設けられた横溝（図示せず）で係止されるように構成される。
保持装置４は、同様に、胸部または腹部の外科手術で、５〜７ミリメートルの中間サイズを備えたドレーンに対して使用可能である。ドレーンの形状は、楕円形であっても円形であってもよい。
【００３７】
図６は、本発明による保持装置の第４の実施の形態を示している。
この装置６は、２個の収集室６０、６２を含み、この二つの収集室を囲むベース６１を備える。
図１〜５に記載された装置とは異なり、ベース６１は平らではなく、患者の身体の形状、特に胸郭の形状と係合するためにやや窪んだ形状を有する。
【００３８】
各収集室６０、６２は、直円柱の上部を底面に平行でない平面で切り落とした立体の形状をほぼ有し、その上面６３、６４は、ベース６１に対して傾斜している。
各上面６３、６４には、支持体６５、６６により延長されるドレーンまたは同等物のための孔が設けられている。各支持体６５、６６は、ドレーン用のくり抜き６７、６８を含む。これらの支持体６５、６６については詳述しないので、上記の説明を参照されたい。
【００３９】
かくして、くり抜き６７の軸は、ベースの面、あるいは、収集室６０とベース６１との間の接続ゾーンを通る面に対して垂直ではない。くり抜き６８に対しても同様である。
図６に示した例では、収集室６０、６２は、ベース６１に対して配向の仕方が異なる。
保持装置６は、従って、特に胸部の外科手術で、サイズが３〜１０ミリメートルのドレーンに対して使用される。このような装置により、同一ベースに対して複数のドレーンを固定することができる。
この装置はまた、ドレーンの相対的な位置を保持し、外形寸法を最小にしながら同一のスペースに複数のドレーンを配置し、患者の身体への保持を補強するという長所を有する。
【００４０】
図７は、本発明による保持装置の第５の実施の形態を示している。
この装置７は、収集室７０と、収集室７０を囲んで患者の身体に固定するように構成されたベース７１とを同様に含む。
収集室７０は、ベース７１にほぼ平行な上面７２を有する。
上面７２に２個の孔７３、７４が設けられ、その軸は、好適にはベースの面に垂直ではない。
孔７３、７４は、有利には楕円形を有するので、ドレーンまたは同等物がその孔を通るようにするための遊びが設けられ、患者の身体への装置７の位置決めと、ドレーンの曲がりとが容易にされている。
孔７３、７４は、２個の孔に共通の支持体により延長されている。
【００４１】
この支持体は、収集室の上壁７２に下部７６ｂを設けた箱を構成し、一方で上部７６ａは、収集室に連結されて収集室で閉じられるカバーを構成する。
支持体は、たとえば係止により閉鎖位置に保持される。カバーをなす上部７６ａは、この場合、長手方向の自由縁に半円筒形の部分７８ａを含み、下部７６ｂに、半円筒形の部分７８ａを収容するための対応する溝７８ｂを含む。
箱状の支持体７６は、各孔７３、７４を延長する２個のくり抜き７５、７７を画定する。
【００４２】
図７に示した例において、支持体７６は、孔７３、７４、次いで、くり抜き７５、７７を通るドレーンまたは同等物が、ベース７１に対して、従って患者の身体に対してほぼ平行にされるように構成される。
そのため、装置７は、特にベッドで支持される患者の体の複数部分に対して、あらゆる引っ張りを回避するように構成されている。従って、たとえば背中の外科手術で使用可能である。
【００４３】
装置７は、特に、３〜５ミリメートルの小型ドレーン用である。
かくして、装置７は、引っ張り力を及ぼさずに箱形の支持体７６によって保護しながら、ドレーンを折り曲げることができる。
箱形の支持体７６は、ドレーンに別の配向を与えるように構成してもよい。
この箱は、それ自体が、装置７に対して所定の位置にドレーンまたは同等物を固定する。こうした固定は、くり抜き７５、７７に設けられたリングまたはリム７８が、ドレーン（図示せず）に設けられた横溝と協働することによって補強可能となり、双方の協働によりアセンブリが気密になる。
【００４４】
本発明は、もちろん、記載された実施の形態に制限されるものではない。特に、本発明による装置は、同一のベースに２個以上の収集室を含み、あるいは、同一の収集室にドレーン用の孔を２個以上含むことができる。そのうえ、ドレーンまたは同等物に対する開口部の軸と、この孔を延長するドレーンの支持体の軸との相対的な位置は、任意のものとすることができ、所望の用途に応じて選択可能である。
さらに、分泌物収集ポケットを固定するための開口部は、本発明によるあらゆる保持装置に設けることができる。
【００４５】
上記の説明は、主にドレーンについて行ってきた。しかしながら、本発明による装置は、波打った構造または微小管状のドレーンを含む、特に鼻と胃のゾンデあるいはまたカッタの保持のために使用してもよく、これらは毛管現象により液体を排出可能である。
ドレーンまたは、ドレーン用の支持体のくり抜きのための開口部の形状に合わせた形状のキャップが同様に設けられる。これらのキャップは、患者の身体からドレーンを抜くときに開口部またはくり抜きを閉じる役割をする。本発明による装置を胸部の外科手術に使用する場合、キャップは、患者の身体内の空洞と接するのに十分な長さを有し、それによってあらゆる空気の侵入を回避する。
最後に、請求項に記載された技術的な特徴の後に挿入してある参照符号は、単に請求項を理解しやすくすることを目的としており、その範囲を制限するものではない。
【図面の簡単な説明】
【図１】  ドレーンを備えた本発明による保持装置の第１の実施の形態を示す斜視図である。
【図２】  図１のＩＩ−ＩＩ線による横断面図である。
【図３】  ドレーンを備えた本発明による保持装置の第２の実施の形態を示す斜視図である。
【図４】  本発明による保持装置の第３の実施の形態を、使用していない状態で示す斜視図である。
【図５】  図４に示した保持装置をドレーンと共に使用するところを示す斜視図である。
【図６】  本発明による保持装置の第４の実施の形態を示す斜視図である。
【図７】  本発明による保持装置の第５の実施の形態を示す斜視図である。
【図１】
0004158134.tif 000002
【図２】
0004158134.tif 000003
【図３】
0004158134.tif 000004
【図４】
0004158134.tif 000005
【図５】
0004158134.tif 000006
【図６】
0004158134.tif 000007
【図７】
0004158134.tif 000008